(57)【要約】ユーザの毛髪を処理する、または形づくるように構成されたスタイリング器具と、スタイリング器具と通信し、スタイリング器具によって取り込まれた測定データに少なくともある程度基づいてスタイリング器具のユーザの使用法に関してユーザにフィードバックを提供するように構成されたクライアントデバイスとを含むシステム。スタイリング器具は、音、加速度、力、回転、髪の水分量ならびに周辺温度及び湿度のうちの１つまたは複数を検出するように構成された回路及び／またはセンサを含むヘアブラシであってよい。【選択図】図４Ｃおよび図６
2020504655.tif 000002
【特許請求の範囲】
【請求項１】
ユーザの髪の毛を処理する、または形づくるように構成されたスタイリング器具と、
前記スタイリング器具と通信し、前記スタイリング器具によって取り込まれた測定データに少なくともある程度基づいて前記スタイリング器具のユーザの使用法に関して前記ユーザにフィードバックを提供するように構成されたクライアントデバイスとを備えるシステム。
【請求項２】
前記クライアントデバイスは、前記スタイリング器具の前記ユーザの使用に関する評価情報を出力し、目標とする毛髪の健康を達成するための前記スタイリング器具の使用方法に関するガイダンス情報を出力するように構成される、請求項１に記載のシステム。
【請求項３】
前記ガイダンス情報は、所望される結果を達成するための前記スタイリング器具の使用に関する画像データ、ビデオデータまたは音響データである、請求項２に記載のシステム。
【請求項４】
前記クライアントデバイスは、前記ユーザの物理的特徴に関するユーザ情報を受け取り、前記受け取ったユーザ情報に基づいて前記ガイダンス情報を出力するように構成される、請求項２に記載のシステム。
【請求項５】
前記スタイリング器具はヘアブラシである、請求項１に記載のシステム。
【請求項６】
前記ヘアブラシは、前記測定データとして、音、加速度、力、回転、髪の水分量ならびに周辺温度および湿度のうちの１つまたは複数を検出するように構成された回路を含む、請求項５に記載のシステム。
【請求項７】
前記出力された評価情報及びガイダンス情報は、前記スタイリング器具を使用する前記ユーザの単一の連続するセッションの間に受け取った測定データに基づいている、請求項２に記載のシステム。
【請求項８】
前記出力された評価情報は、前記スタイリング器具を使用する前記ユーザの複数のセッションを含む所定の期間に受け取った測定データに基づいている、請求項２に記載のシステム。
【発明の詳細な説明】
【技術分野】
【０００１】
関連出願の相互参照
本出願は、２０１６年１２月３０日に提出された米国仮出願第６２／４４０，４８８号に関連し、その利益を主張しており、この出願の全内容はこれにより参照により本明細書に組み込まれている。
【背景技術】
【０００２】
感知したデータを離れたエンティティに送信するヘアブラシは、米国公報第２０１５／０３４２５１５Ａ１によって開示されており、この公報は参照により本明細書に組み込まれている。しかしながら、改善された毛髪の健康及びブラッシング動作の指標、ユーザのライブフィードバック、ラーニングプロトコル、個別のヘアケアの推奨、対象の任意の波長で有用な情報を伝える音を出力するように設計されたブラシの毛／歯／クッション、ブラシ／コームによってユーザの髪の表面の状態を評価する改良された方法を提供する接続式ヘアブラシに対する要望がある。
【発明の概要】
【０００３】
一実施形態において、接続式ヘアブラシは、１日毎のブラッシングセッションを記録することによって末端消費者に毛髪の健康情報及びブラッシング運動の指導を提供する。
【０００４】
ヘアブラシの内部回路は、音、加速度、力、回転、髪の水分量、周辺温度及び湿度を測定する。得られた生信号は、生涯にわたる分析的統合を可能にするアルゴリズムによってクラウドアーキテクチャ上で遠隔式に処理される。
【０００５】
末端消費者の利益は、経時的に変化を監視し、個別のアドバイス及び製品の日常的な推奨を得ることである。
【０００６】
以下の目的が本実施形態によって達成される。
１）信号の測定に基づいて、ヘアブラシの内部回路は、末端消費者に対して触覚フィードバックを作動させて、彼らに警告し動きを修正させる。例えば強く押しつけすぎると頭皮を過敏にする場合があり、セッション中に使用する力が大きすぎると毛髪繊維を傷める等の可能性がある。
２）内部回路によって検出されたもつれた毛髪の測定に基づいて、作動した触覚フィードバックが、ブラッシングする間、髪のもつれをほどくのを助けることができる。
３）クラウドアーキテクチャ上のアルゴリズム（相対的なエネルギーの比較及び周波数の分析）によって処理された１日毎の音の測定は、いつシャンプー及びコンディショナーの効果がもはやなくなるかを予測し、末端消費者にヘアトリートメントを再度塗布するように、または特定の種類のシャンプー、コンディショナーまたは他の製品を入手するように注意を促すことができる。
４）ブラッシングのストロークの回数を数えることができ、一定期間におけるストローク率は、相対的なもつれ率を示すことができる。
５）雄豚及びプラスチック製のブラシの毛と接触する毛髪の共鳴によって生じる音の周波数分析によって、相対的な毛髪表面のダメージをクラウドアルゴリズムによって評価することができる。
６）様々な信号の統合が、
ａ．髪のブラッシング動作の指導：加速度計＋力＋ジャイロスコープ
ｂ．頭皮の過敏性：力＋ジャイロスコープ＋音
ｃ．もつれをほどくスコア：力＋加速度計＋ジャイロスコープ＋音
ｄ．ストロークの回数：音＋加速度計などの様々な毛髪／頭皮の健康スコアを提供することができる。
７）接続されたアプリケーションインターフェースは、毛髪の健康情報、指導、ならびに毛髪の分析及び環境データに関連する製品の日常的な情報を表示する。
８）毛髪が湿っているかどうか、または乾燥しているかどうかを測定する接触ピンは、クラウドアルゴリズムを支援して毛髪ダメージ、脆弱性を判定し、アルゴリズムの閾値を動的に調節することができる。
９）縮れ具合が申告されるおかげで毛髪のダメージのアルゴリズムの精度を動的に調節することができる。
【０００７】
以下の解決策を、これらの目的を達成するために実施することができる。
・毛髪ダメージを分析するためのマイクロフォン周波数及び音響エネルギー。
・ブラッシング動作の分析のためにヘッドとハンドルとの間に加わる力を検出するためのロードセル。
・加速度計／ジャイロスコープ髪のブラッシングストロークの回数。
・髪が濡れているかどうか、または乾燥しているかどうかを検出するための導電性のピンクイル。
・ユーザのヘアブラシの動きのフィードバックのための触覚フィードバック。
・クラウド及びアプリケーションに接続するためのＷｉ-Ｆｉ及びブルートゥース。
・周辺条件と無関係のアルゴリズムを作成する（測定アルゴリズムを正規化する）ための周辺温度／湿度。
【０００８】
本発明の上述の態様及び付随する利点の多くは、添付の図面と併せて取り入れたとき、以下の詳細な説明を参照することによってよりよく理解されるようになるとき、より容易に認識されるようになるであろう。
【図面の簡単な説明】
【０００９】
【図１】一実施形態による信号処理の例を描いている。
【図２】ラーニングプロトコルが開始することができるＩＴインフラストラクチュア及びデータフローを描いている。
【図３】一実施形態による製品／サービスの推奨を提供するシステム及び方法を描いている。
【図４】図４Ａは、ヘアブラシと、クライアントデバイスとを含む一実施形態によるシステムを描いている。図４Ｂは、一実施形態によるクライアントデバイスの例を描いている。図４Ｃは、一実施形態による代替のシステムを描いている。
【図５】一実施形態によるヘアブラシの電気／ハードウェアのブロック図を描いている。
【図６】一実施形態によるクライアントデバイスによって実施される方法を描いている。
【図７】一実施形態によるヘアブラシによって実施される方法を描いている。
【発明を実施するための形態】
【００１０】
本実施形態は、改善された毛髪の健康及びブラッシング動作の指標、ユーザのライブフィードバック、ラーニングプロトコル、個別のヘアケアの推奨、対象の任意の波長で有用な情報を伝える音を出力するように設計されたブラシの毛／歯／クッション、及びブラシ／コームによってユーザの髪の表面の状態を評価する改良された方法を提供するスマート接続式ヘアブラシ、コームまたは歯ブラシを対象としている。最初に本実施形態の特徴の概要を記載し、次に本実施形態によるデバイス、システム及び方法の説明が続く。
【００１１】
Ｉ．毛髪の健康及びブラッシング動作の指標
埋め込まれたセンサにより生データを取り込む接続式ヘアスタイリング器具は、ローカルにまたはリモートに処理されたデータ情報の分析により毛髪の特質及びブラッシング動作の指標を特定することが可能である。全ての指標は、自動査定または第三者の評価によって埋められた質問票によって一部が、または全体が算出されてよい。質問票は、年齢、及びダメージを与えるような方法の習慣に基づいたユーザの髪の表面の状態に的をしぼることを対象としてよい。しかしながらブラッシング動作の分析に関して、例えばセッション当たりのストロークの回数、ブラッシングのストロークの回数に対するもつれをほどく動作の回数など、エンドユーザ及び／またはヘアスタイリストによって後から起こり得るいくつかの指標も存在する。ストロークの速さも動作の指標である。多くの髪の毛がブラシの中にあるほどユーザの髪の毛が弱っていることを示し、このことは潜在的にヘアブラシによって加えられる力が強すぎることを示唆するため、ブラッシングセッションの終わりに専門の評価担当者がブラシに残っている毛髪の本数を数える場合もある。センサ信号は、毛髪の指標を統合して閾値及び出力を動的に重み付けする／調節するために組み合わされてよい。生信号は、逐点式に分析される、またはブラッシングセッションの一部の継続時間、または継続時間全体にわたって集約させることができる。これらの指標は、
１．毛髪の健康、すなわち
−ヘアスタイリング器具の毛／歯／クッションを通過する際の髪の摩擦による音の分析（限定するものではないがスペクトル分析、振幅、エネルギー及びそれらの組み合わせを含める）に基づいた毛髪の表面のダメージ状態
−髪のダメージ評価に関連付けられた３軸加速度計及びジャイロスコープによる力の測定及び動作の分析に基づいた切れ毛
−ストローク運動中の音の分析（限定するものではないがスペクトル及びエネルギー）、及び／または力の測定及び／または加速度計及びジャイロスコープに基づいたもつれ率
−ヘアケア製品をいつ再度塗布すべきかを決定するための１日毎のエネルギー及びスペクトルの音の変化に基づいた乾燥度の評価
−湿度センサによって測定されるような、濡れている、または乾燥している場合の物理的な毛髪の特徴を見分けるための髪の水分レベル
−以下の
−ブラッシングセッション中に統合されたブラッシングの力エネルギー
−ストローク運動の頻度及び各ストロークの継続時間に基づいたブラッシングのストロークのペース
−カメラ及び／または磁気計を介する３軸加速度計及びジャイロ及び／またはコンピュータビジョンに依拠する力の測定及び運動の分析に基づいた優しい／強引な動作の挙動監視
−加速度計及びジャイロ及び／または音響分析を含めた、ハンドルとヘッドとの間の力のピークの集計に基づいたもつれた状態のひっかかりの数
のうちのいくつかの組み合わせ、またはその全てのようなブラッシングインデックスのうちのいくつかの組み合わせ、またはその全てのような毛髪の健康。
【００１２】
これらの指標の全ては、アプリケーション／ウェブサイト／任意のデジタル媒体においてエンドユーザに表示される。図１は、この特徴による信号処理の例を示す。
【００１３】
ＩＩ．ユーザのライブフィードバック
埋め込まれたセンサにより生データを取り込む接続式ヘアスタイリング器具は、環境情報を考慮することによって、ユーザの毛髪の健康及びブラッシングの習慣を改善するために経時的にかつ動的に、またはそうではなくエンドユーザに指導することが可能である。全てのフィードバックは、自動査定または第三者の評価によって埋められた質問票によって一部が、または全体が算出されてよい。センサ信号及び外部データは、フィードバック及びアドバイスを経時的に改良するために組み合わされてよい。これらのフィードバックは、ブラッシングセッションと同期させることができる、または非同期式に送られる場合もある。フィードバックは、振動、光、音、音声として送られ、アプリケーション／ウェブサイト／コンピュータ／任意のデジタル媒体上に表示することができる。フィードバックは、
１．不適切なブラッシングの検出−力センサ（ブラッシングの間ブラシに対して手によって加えられる力及び屈曲力を測定する、ブラシのハンドルとヘッドとの間の３軸ロードセルなど）、３軸加速度計、ジャイロスコープ、音に基づいて、ヘアスタイリング器具は、ユーザのブラッシングが推奨される動作／力／ストローク回数の範囲外にあることを（振動、光、音を通して）ユーザに知らせる。これらの閾値は、経時的にユーザのプロフィールに基づいて調節される。
２．ヘアトリートメントの再塗布−１日毎のエネルギー及びスペクトルの音の変化に基づいて、ユーザは、自分のヘアケアトリートメントを再度塗布する必要があることをアプリケーションスクリーン／Ｅメ−ル／ウェブサイト上で知らされる。
３．気象警報−地表情報の局所的な天気に基づいて、毛髪に対する気象条件の影響を通告することによってユーザに知らせることができる。気象情報には、温度、湿度、風、ＵＶ指数、汚染度が含まれ、毛髪の測定基準に組み込むことができる。
４．ヘアケアの日常作業の警告−イベント時間の刻印に基づいて、ユーザに美容師との予約があろうと、毛染めの期日があろうと、接続式のスタリング器具のアプリケーションは、いつヘアケアの日常的な製品を再度塗布すべきか、またはいつ予約を取るべきかをユーザに気づかせることができる。
５．個別の指導−経時的に、ユーザをクラスタ化する毛髪プロフィールに基づいて、アプリケーションまたはウェブサイトは、特定したユーザに、セッション当たりのストロークの回数、専用の製品の日常作業、動作の指導、カメラで撮った写真（「自撮り」画像など）によって行うことができる視覚的診断などの個別のアドバイス及び目的を提供することができる。
【００１４】
ＩＩＩ．ラーニングプロトコル
埋め込まれたセンサにより生データを取り込む接続式ヘアスタイリング器具は、ユーザデータを経時的に記憶し、処理することが可能なリモートＩＴインフラストラクチャに接続される。ユーザは、各ブラッシングセッション及びアプリケーションの利用後に算出されたそれぞれの特徴及び指標によってクラスタ化することができる。あるユーザに関して、閾値及び結果が推定され、ラーニングプロトコルを含む入力として使用される。
１．それぞれのスコアを条件付けするためのユーザの統計的なクラスタ化
・スライド＃４において言及した結果及び毛髪の指標のデータベース集合は、パネルユーザと比較した毛髪の指標結果に条件付けするのを助ける統計数字と数を見つけるために分析される。
・クラスタ及びグループは、ブラッシング動作、毛髪の特徴またはビジネスフォローアップのような１つまたは複数の複数のパラメータにおいて特定することができる。
・ユーザグループの条件付けは「最適、平均、悪い」などのユーザフレンドリーな方法でエンドユーザの測定基準を表示するのを助ける。
２．毛髪の状態を予測するためのラーニングプロセス
・収集された全ての毛髪情報は、ユーザ間で経時的に毛髪状態を予測するために、自動評価された毛髪状態の診断、指標及び生信号、ビジネス数値を含めたラーニングアルゴリズムの入力として使用されてよい。
・その目的は、１つまたは複数の以下の項目：
・髪の特徴：長さ、毛髪の直径、カール具合、栄養、ダメージ、扱い易さなど
・ブラッシング動作：髪の長さ／カールによる理想のブラッシングのストローク回数、理想の力及び動作タイプ
・環境：例えば髪の毛をちりちりにする気象条件に基づいたブラッシング時間の予測を自動的に評価することである。
【００１５】
図２は、上記に指摘した概念を履行するシステムのＩＴクラウドインフラストラクチャの一例を示す。
【００１６】
ＩＶ．個別のヘアケアの推奨
埋め込まれたセンサにより生データを取り込み、外部データ情報源（気象、ソーシャルネットワーク、Ｅメール、ビジネスデータベース、ＣＲＭ、ユーザの予定表、ジオローカリゼーション、カレンダ．．．）に関連付けられた接続式ヘアスタイリング器具は、個別のヘアケアの日常作業及び／または製品の推奨及び／またはサービス（ヘアスタイリスト）を可能にするために統合することができる。このような推奨は、図３に描かれるようにＥメール／アプリケーション／コンピュータ／ウェブサイト上に表示することができる。
【００１７】
Ｖ．音を出すように設計されたブラシの毛／歯／クッション
スタイリング器具内のマイクロフォンによる髪の表面の状態の測定は、ヘアスタイリング器具の材料に接触する髪の摩擦による周波数（共鳴）を増幅し、関係ない音源からの寄与率を最低限にすることが必要である。目標とする周波数または音響効果は、特有のクッション及びまたはブラシの毛及びまたはその機械的な統合物を意図的に設計することによって生み出すことができる。このような設計は、
−ブラシの毛の種類：直径、材料（人工毛及び／または雄豚などの動物の毛）、長さ、弾性、厚み
−ブラシの毛／歯のパターン：密度、幾何学的形状
−スタイリング器具にあるマイクロフォンの位置
−クッション及び機械的囲いの質感／材料
−幾何学的寸法
などのいくつかのルールを適用することによって得られる結果を決定する。
【００１８】
ＶＩ．ブラシ／コームによって髪の表面の状態を評価するための追加の方法
・本実施形態によるシステム及び／またはヘアブラシは、ユーザの毛髪の状態を評価するためにカメラ（スペクトル計など）から離れた摩擦計または光学デバイスをさらに含んでよい。
【００１９】
ＶＩＩ．実施形態の説明
一実施形態によるシステムは、ヘアブラシ（一例として、但しコームまたは歯ブラシの場合もある）をクライアントデバイスと接続する。クライアントデバイスは、ユーザのブラッシング動作に関する入力を受け取り、毛髪の健康に関するフィードバックを提供し、ヘアブラシを使用する間ユーザの技術を修正することができる。
【００２０】
図４Ａは、ヘアブラシ１０１と、クライアントデバイス１２０とを含むシステム１００を示す。要素１０１はヘアブラシとして描かれているが、それはコーム、歯ブラシまたは同様の器具である場合もあることに留意されたい。一実施形態において、ヘアブラシ１０１は、無線信号１１０によってクライアントデバイス１２０と通信している。一実施形態においてクライアントデバイス１２０は、ソフトウェアアプリケーションまたはソフトウェアモジュールのセットを作動させてヘアブラシ１０１からの通信を受信し、ヘアブラシ１０１への通信を送信するように構成される。一例において、ソフトウェアアプリケーションは、ヘアブラシ１０１にプロトコルまたは目標とするプロフィールを送信することができ、またスタイリング器具１０１からデータを受信してリアルタイムの使用法を追跡することもできる。
【００２１】
図４Ｂは、モバイル機器１２２、ウエアラブル電子機器１２４、テレビジョンまたはマジックミラー１２６、ネットワークルータ１２８及びパーソナルコンピュータ１２９を含むクライアントデバイス１２０の異なる例を示す。
【００２２】
無線信号１１０は、ＷＩＦＩ、ブルートゥース、近接場を含む電磁信号、または光学式及び音響式などの任意の他の信号などの任意の適切な信号であり得る。電化製品を含めた各クライアントデバイスは、無線インターネットアクセスポイントへの８０２．１１無線接続を介するインターネット接続を通して、またはイーサネットインターフェースなどを介するインターネットアクセスポイントへの物理的な接続を通して互いと通信してよい。各々接続されたデバイスは、例えばブルートゥース接続または他の無線手段を通して同様に他のデバイスと無線通信を行うことも可能である。
【００２３】
図４Ｃは、一例による、ヘアブラシ１０１の最適な成果を促進するためのシステム１５０の一例を表す図である。システム１５０は、少なくともヘアブラシと、クライアントデバイスとを含む。任意選択でシステム１５０は、クラウドコンピューティング環境の一部として実装され、インターネットを通してシステム１５０と通信する１つまたは複数の外部サーバ１４２をさらに含んでよい。１つまたは複数の外部サーバ１４２は、一例によりユーザデータ、配合物などの製品、プロトコル及び日常作業、チュートリアルならびに他の第三者のサービスを記憶することができる。
【００２４】
図５は、ヘアブラシ１０１のハードウェア構成要素の電気ブロック図の図を示す。電源２０４からの電力は、プロセッサ２０３によって制御される。電気ブロック図は、本明細書に開示される原理に従って他の構成に適応するように修正される場合もあることを理解されたい。
【００２５】
一例において、通信インターフェース（Ｉ／Ｆ）２０５は、クライアントデバイス１２０と通信するための回路と、ハードウェアとを含むことができる。通信インターフェース２０５は、ネットワークと相互作用するために、ＢＣＭ４３３４２  Ｗｉ−Ｆｉ、周波数変調、及びＢｒｏａｄｃｏｍからのブルートゥースコンボチップなどのネットワーク制御装置を含んでよい。ハードウェアは、サイズが縮小されるように設計することができる。例えばプロセッサ２０３は、当分野で理解されるようにＣＰＵであってよい。例えばプロセッサは、Ａｐｐｌｅ社からのＡＰＬ０７７８であってよい、または当業者によって認識される他のプロセッサタイプであってもよい。あるいは、ＣＰＵは、ＦＰＧＡ、ＡＳＩＣ、ＰＬＤに実装されてよい、または当業者が認識するような別個の論理回路を利用して実装されてもよい。さらにＣＰＵは、上述した進歩的なプロセスの指示を実行するために並行して協働で作業するマルチプロセッサとして実装される場合もある。またクライアントデバイスが、上記に記載したような同様の回路及びハードウェアを有する場合もある。
【００２６】
一実施形態においてヘアブラシは、ユーザインターフェース２０６を含んでおり、これは器具の筐体上の入力ボタンの形態であってよい、またはそれは静電容量性または抵抗性のタッチスクリーンディスプレイなど接触反応式ディスプレイの形態である場合もある。
【００２７】
一実施形態において、ヘアブラシは、光（ＬＥＤ光など）、タッチスクリーン上のインジケータまたはスピーカーを通した可聴出力の形態であり得る出力インジケータ２０２を含む。
【００２８】
一実施形態において、ヘアブラシは、スタイリング器具を制御するため、またはユーザデータもしくは他の情報を記憶するためにソフトウェアを記憶するメモリ２０７を含む。
【００２９】
一実施形態において、ヘアブラシは、それがユーザによって保持される際のスタイリング器具の向きを検出することができる位置／モーションセンサ２０８を含んでおり、それはまた、スタイリング器具の移動及び運動経路も同様に検出してよい。一実施形態において、位置／モーションセンサは、地磁気センサ及び加速度センサのうちの少なくとも一方、またはそれらの組み合わせである。例えば、３軸地磁気センサを収容しているスタイリング器具（の筐体）の現在の向きが与えられたと仮定すると、３軸地磁気センサは地磁気の方向、または換言すると地磁気のベクトルＶｔを確認する。静止状態における３軸加速度センサを収容しているスタイリング器具（の筐体）の現在の向きが与えられたと仮定すると、３軸加速度センサは、重力の方向、または換言すると重力のベクトルＧを確認する。重力のベクトルＧは下方の垂直方向と一致する。重力のベクトルＧはさらに、Ｘｓ、Ｙｓ及びＺｓ軸成分に分解されてよい。
【００３０】
あるいはまたは追加として、３つの軸Ｘｓ、Ｚｓ及びＹｓ（ロール、ピッチ及びヨー）に関する角速度を検出するセンサであり、対象物の回転を検出することが可能であるジャイロスコープが使用されてよい。追加で、地磁気センサは、先に考察したような地磁気ベクトルに基づいて、対象物が面している先端部を確認することが可能である。
【００３１】
ヘアブラシは、音感知回路２０９を含んでよく、これは、１日毎のエネルギー及びスペクトルの音の変化に基づいてユーザの毛髪の乾燥度を検出するマイクロフォンを含んでよい。
【００３２】
ヘアブラシはまた、湿度感知回路２１１も含んでよい。この回路は、参照により本明細書に組み込まれる米国出願第１３／１１２，５３３号（米国公開番号２０１２／０２９１７９７Ａ１)に記載されるものと同様であってよい。あるいは、湿度感知回路は、磁場の変化を検出するホール効果センサに依拠する場合もあり、このような変化は湿度レベルに反応し易い。
【００３３】
追加として、ヘアブラシは、毛髪が湿っているかどうか、または乾燥しているかどうかを検出するためにヘアブラシに埋め込まれた導電性のピンクイルを含んでよい。
【００３４】
ヘアブラシはまた、ヘッドとハンドルとの間に配設されたロードセルの形態であり得る力センサ２１１を含んでよい。
【００３５】
ヘアブラシはまた、ヘアブラシの近くの局所的温度または湿度を検出する周辺温度／湿度センサ２１２を含んでよい。
【００３６】
クライアントデバイス１２０は、ユーザに関する情報を収集し、ユーザに出力を提供するように構成される。クライアントデバイスのオペレーティングシステムは、複数の機能を果たすように構成されたユーザインターフェースを有することができる。一態様において、クライアントデバイスは、ネットワークと通信し、インターネットならびにモノのインターネット（ＩＯＴ）へのユーザインターフェースアクセスを可能にすることができる。理解することができるように、ネットワークは、インターネットなどのパブリックネットワーク、またはＬＡＮもしくはＷＡＮネットワークなどのプライベートネットワーク、またはそれらの任意の組み合わせであってよく、ＰＳＴＮまたはＩＳＤＮサブネットワークを含めることもできる。ネットワークはまた、イーサネットネットワークなど有線式であり得る、またはＥＤＧＥ、３Ｇ及び４Ｇ無線セルラー方式を含めたセルラーネットワークなどの無線式の場合もあり得る。無線ネットワークは、ＷｉＦｉ、ブルートゥースまたは既知の通信の任意の他の無線形式であり得る。一例において、ネットワークは、サーバホスティング媒体、プロトコル、製品、パーソナルアカウント、記憶した利用データ、及び電化製品、ブラシヘッド及びスキンケアに関連する他のデータにアクセスすることができる。
【００３７】
ユーザインターフェースは、ヘアブラシの利用の仕方についてのチュートリアルを表示することができる。ユーザインターフェースは、特定の計画または日常作業に関するプロトコルを作成しダウンロードすることができる。ユーザインターフェースは、指導し、使用法を追跡し、追跡した使用法をプロトコル、計画または日常作業と比較することができる。ユーザインターフェースは、追跡した使用法に基づいてスコアを計算することができる。ユーザインターフェースは、スコア及びヘアブラシの追跡した使用法をクライアントデバイスのメモリに記憶することができる。ユーザインターフェースを使用して、ヘアブラシに関連する任意の製品を購入することができる。例えばヘアブラシは、ユーザの毛髪を処置するのに使用されるスタイリング製品または化学配合品の組み合わせと共に使用されてよく、クライアントデバイスは、ユーザによって入力された望ましい結果に基づいて特定のスタイリング製品または配合品に対する推奨、及びプロセスにおけるどのステップにおいてそれらを使用するべきかを出力することができる。
【００３８】
最初のステップとして、クライアントデバイスは任意選択でユーザの毛髪の特徴及び使用パターンに関する情報を収集してよい。クライアントデバイスは、調査結果をローカルに記憶してよい、または外部システムまたはサーバに接続してデータベースまたは調査結果にアクセスする場合もある。
【００３９】
ユーザはまた、目標とする外見を実現するためにヘアブラシを使用するためのチュートリアルにアクセスしてもよい。チュートリアルは、テキスト形式、静止画像形式、ビデオ形式または音声のみの形式であってよい。
【００４０】
チュートリアルの利用に加えて、ユーザは、無線接続（ブルートゥースまたはＷｉ−Ｆｉ接続など）を介してクライアントデバイス１２０をヘアブラシに接続することで、ヘアブラシを使用する間、リアルタイムのフィードバックを受け取ることができる、または後の報告またはフィードバックのためにヘアブラシの使用法を記録する場合もある。
【００４１】
例えばヘアブラシを使用する間、ヘアブラシ上のモーションセンサは、クライアントデバイスへのフィードバックとしてスタイリング器具の検出運動を出力することができる。クライアントデバイスは、リアルタイムの成果の結果をユーザに提供するために、検出された運動を所定の運動データと比較するように構成される、またはユーザが修正をするための指示を出力するように構成される。
【００４２】
クライアントデバイスはまた、顧客のプロフィールに対する入力を提供するのに使用することができるカメラ機能を有することもできる。例えばカメラは、ユーザの毛髪の画像を取得して、視覚データに基づいてユーザの毛髪の状態を判定することができる、または毛髪の特徴に基づいてユーザに対してさらなる推奨をなす場合もある。
【００４３】
クライアントデバイスは、外部システムまたはサーバ（クラウドベースシステムなど）にユーザに関するデータをアップロードするように構成される。そのようなデータはユーザプロフィール、ヘアブラシの使用量、またはヘアブラシを使用する際の成果の結果を含んでよい。クライアントデバイスはまた、ユーザデータの匿名性を維持するためのオプションを提供することもできる。
【００４４】
クライアントデバイスは、カメラ機能を利用して共有機構を提供することができ、ユーザはそこに、ヘアブラシの使用前及び／または使用後に撮った写真をアップロードすることができる。アップロードされた写真は、専門のヘアスタイリストまたは他のユーザからのフィードバックを受け取るために使用することができる。一実施形態においてアップロードされた写真は、ソーシャルメディアプラットフォームに直接アップロードされる場合もある。
【００４５】
図６は、上述した特徴に基づいたクライアントデバイスによって行われる方法のフローチャートを示す。ステップ６０１では、ユーザがスタイリング器具の使用を開始した後、クライアントデバイスは、スタイリング器具から、スタイリング器具のユーザの使用法に関するフィードバック（例えば、ヘアブラシに組み込まれ、上記で説明した種々のセンサからのフィードバックなど）を受け取る。ステップ６０５では、クライアントデバイスは、ヘアブラシから受け取ったフィードバック情報と、目標とする情報との比較に基づいてユーザの成果の指標を出力する。あるいは、クライアントデバイスは、フィードバック情報に基づいて修正情報（ヘアブラシの動き、速度または力の調節など）を出力する場合もある。あるいは、クライアントデバイスは、フィードバック情報に基づいてユーザに警告情報（感知したダメージまたは過剰な力に関する警告など）を出力する場合もある。出力情報は、時間周期に基づいて異なってよく、そのため現在の出力は、最近のセッションまたは現在の日時に基づいて提供されてよく、また経時的に統合された集合に基づいた出力が出力される場合もある。よって出力は、よりよい毛髪の健康のためにユーザを指導するために、ヘアブラシのユーザの使用のセッション当たりの、１日毎の、または長期間の評価及び毛髪の健康情報を提供する。
【００４６】
図７は、一実施形態によるヘアブラシによって行われる方法のフローチャートを示す。ステップ７０１において、ヘアブラシは、ユーザのヘアブラシの使用法に関連する１つまたは複数の信号を測定する。上記で考察したように、このような信号は、音、加速度、力、回転、髪の水分量ならびに周辺温度及び湿度に関連する信号のうちの１つまたは複数であってよい。ステップ７０２では、ヘアブラシは、測定した信号を有線または無線伝送のいずれかを介してクライアントデバイスに送信する。
【００４７】
本開示の原理、代表的な実施形態及び操作の方法が上述の記載において説明されてきた。しかしながら保護されることが意図される本開示の態様は、開示される特定の実施形態に限定されるように解釈されるべきではない。さらに本明細書に記載される実施形態は、限定というよりは例示とみなすべきである。本開示の精神から逸脱することなく、変形形態及び変更が他者によってなされてよく、均等物が採用され得ることを理解されたい。したがって、全てのそのような変形形態、変更及び均等物は、クレームに記載された本開示の精神及び範囲内にあることが明白に意図されている。
【図１】
2020504655.tif 000003
【図２】
2020504655.tif 000004
【図３】
2020504655.tif 000005
【図４】
2020504655.tif 000006
【図５】
2020504655.tif 000007
【図６】
2020504655.tif 000008
【図７】
2020504655.tif 000009
【国際調査報告】
2020504655.tif 000010
2020504655.tif 000011
2020504655.tif 000012
2020504655.tif 000013
2020504655.tif 000014
2020504655.tif 000015